(57)【特許請求の範囲】
【請求項１】
ＲＦＩＤタグを切り取り可能に保持した封書であって、当該封書が、宛先印字欄を有する第１の帳票片と情報記録部を有する第２、第３の帳票片が連接したベース用紙を折り返し、互いに隣接する連接辺部以外の外縁部を圧着して接着したものであり、所定の３辺の外縁部を切り取ることにより内部の情報が閲覧できるようにされている封書において、フォームに導電性インキで印刷したアンテナパターン面に非接触ＩＣタグラベルが貼着されているＲＦＩＤタグ付きカードが見開いた封書の中心の帳票片に装着されていて、当該帳票片に設けたカード外形状のミシン目線からＲＦＩＤタグをカード形状に切り取り可能にされている、ことを特徴とするＲＦＩＤタグ付き封書。
【請求項２】
非接触ＩＣタグラベルがフォーム用紙を介してアンテナパターン面に貼着されている、ことを特徴とする請求項１記載のＲＦＩＤタグ付き封書。
【請求項３】
ＲＦＩＤタグを切り取り可能に保持した封書であって、当該封書が、宛先印字欄を有する第１の帳票片と情報記録部を有する第２、第３の帳票片が連接したベース用紙を折り返し、互いに隣接する連接辺部以外の外縁部を圧着して接着したものであり、所定の３辺の外縁部を切り取ることにより内部の情報が閲覧できるようにされている封書において、プラスチックフィルムに平面コイル状のアンテナパターンを形成し、当該コイルの両端にＩＣチップを装着した非接触ＩＣタグラベルが貼着されているＲＦＩＤタグ付きカードが見開いた封書の中心の帳票片に装着されていて、当該帳票片に設けたカード外形状のミシン目線からＲＦＩＤタグをカード形状に切り取り可能にされている、ことを特徴とするＲＦＩＤタグ付き封書。
【請求項４】
ＲＦＩＤタグを切り取り可能に保持した封書用フォームであって、当該封書用フォームが、宛先印字欄を有する第１の帳票片と情報記録部を有する第２、第３の帳票片が折り曲げ予定線を介して連接したベース用紙からなり、第１、第２、第３の帳票片の連接部以外の外縁部には隣接または重なって相互に接する帳票辺の外縁部を接着する接着層が設けられ、フォームに導電性インキで印刷したアンテナパターン面に非接触ＩＣタグラベルが貼着されているＲＦＩＤタグが封書用フォームを折り畳んだ場合に中心となる帳票片に装着されていて、かつＲＦＩＤタグの周囲にはカード外形状のミシン目線が設けられ、封書にされた際に当該ＲＦＩＤタグをカード形状に切り取り可能にされている、ことを特徴とするＲＦＩＤタグ付き封書用フォーム。
【請求項５】
非接触ＩＣタグラベルがフォーム用紙を介してアンテナパターン面に貼着されている、ことを特徴とする請求項４記載のＲＦＩＤタグ付き封書用フォーム。
【請求項６】
ＲＦＩＤタグを切り取り可能に保持した封書用フォームであって、当該封書用フォームが、宛先印字欄を有する第１の帳票片と情報記録部を有する第２、第３の帳票片が折り曲げ予定線を介して連接したベース用紙からなり、第１、第２、第３の帳票片の連接部以外の外縁部には隣接または重なって相互に接する帳票辺の外縁部を接着する接着層が設けられ、プラスチックフィルムに平面コイル状のアンテナパターンを形成し、当該コイルの両端にＩＣチップを装着した非接触ＩＣタグラベルが貼着されているＲＦＩＤタグが封書用フォームを折り畳んだ場合に中心となる帳票片に装着されていて、かつＲＦＩＤタグの周囲にはカード外形状のミシン目線が設けられ、封書にされた際に当該ＲＦＩＤタグをカード形状に切り取り可能にされている、ことを特徴とするＲＦＩＤタグ付き封書用フォーム。
【発明の詳細な説明】
【０００１】
【発明の属する技術分野】
この発明は、ＲＦＩＤタグ付き封書およびそれに使用するＲＦＩＤタグ付き封書用フォームに関する。
詳しくは、非接触通信機能とデータの記録、消去ができる機能を有するＲＦＩＤタグを帳票片に設けた封書であって、ＲＦＩＤタグに所定事項の記録をし、封書のＲＦＩＤタグ付きカード部分をイベント・展示会等の招待カードや流通業界における会員カードとして利用できるほか、そのカードの送付を兼ねて利用できる封書であり、またそれに使用する封書用フォームに関する。
【０００２】
【従来技術】
連続帳票を２本の折り目予定線に沿って、Ｚ字状等に三つ折りにしながら引き出し外縁部を圧着してメールフォームに形成し、さらに帳票片にカードを保持した形態にすることは、特開平8-169191号公報にも記載されるように公知であり、情報記載量を多くでき、作成の手間も省けることから広範に利用されている。
【０００３】
上記、特開平8-169191号公報のメールフォームのうち、プリンタでの同時印字対応が可能なメールフォームは、宛先人とカード内容の突き合わせ作業である、いわゆるマッチング作業が削減できるという利点があるが、これを招待カード等に使用する場合、従来方式では一般にバーコードを利用するため、バーコードナンバーによって会員データや来場者管理を行うので、カードを１点ごとに読み取らなければならず、その作業時間がかかるという問題があった。
また、バーコードでは記録できるデータ量が限られるので、最小限の特定情報の読み取りしかできず、カード自体に多くの個人情報を記録したり、追記することができないという問題もあった。
【０００４】
そこで、通常の封書にＲＦＩＤタグの付いたカードを一体にして製造したり、封筒内に挿入する宛名台紙にＲＦＩＤタグを設け、ＲＦＩＤタグのＩＣメモリに所定事項を記録することにより記録データ量を格段に大きくすることが考えられる。このような技術に関連した先行技術に、特開2001−126043号公報「非接触ＩＣカードを分離可能にした宛名台紙」がある。
しかし、特開2001−126043号公報の宛名台紙の場合は、非接触型ＩＣカードを送付フォームに切り取り可能に設け、封書内に挿入して使用することが記載されているが、送付フォーム自体は情報記載スペースが小さいので別に情報記載文書を挿入する必要が生じる。
【０００５】
【発明が解決しようとする課題】
そこで、本発明は、封書の帳票片にＲＦＩＤタグの付いたカードを一体にして製造することにより、ＲＦＩＤタグ付き封書を効率的かつ低コストで製造可能とするとともに、ＲＦＩＤタグのＩＣチップに所定事項を記録することにより記録情報量を格段に大きくし、さらに、前述のような読み取り作業の軽減を図ろうとするものである。
なお、本明細書で、「ＩＣチップ」とは集積化した制御装置およびメモリを有する半導体をいい、非接触ＩＣタグラベル（一般に「ＩＣチップ付きシール」とも表現する。）化しているものを使用することになる。
また、「ＲＦＩＤタグ」とは、当該「ＩＣチップ」を備え非接触でリーダライタ装置等と無線通信ができる発振回路を有するカード状体をいうものとする。
一般的に、ＲＦＩＤタグは、「非接触ＩＣタグ」、「非接触データキャリア」、「非接触ＩＣカード」等とも表現されている。
【０００６】
【課題を解決するための手段】
上記課題を解決するための本発明の要旨の第１は、ＲＦＩＤタグを切り取り可能に保持した封書であって、当該封書が、宛先印字欄を有する第１の帳票片と情報記録部を有する第２、第３の帳票片が連接したベース用紙を折り返し、互いに隣接する連接辺部以外の外縁部を圧着して接着したものであり、所定の３辺の外縁部を切り取ることにより内部の情報が閲覧できるようにされている封書において、フォームに導電性インキで印刷したアンテナパターン面に非接触ＩＣタグラベルが貼着されているＲＦＩＤタグ付きカードが見開いた封書の中心の帳票片に装着されていて、当該帳票片に設けたカード外形状のミシン目線からＲＦＩＤタグをカード形状に切り取り可能にされている、ことを特徴とするＲＦＩＤタグ付き封書、にある。
【０００７】
上記課題を解決するための本発明の要旨の第２は、ＲＦＩＤタグを切り取り可能に保持した封書であって、当該封書が、宛先印字欄を有する第１の帳票片と情報記録部を有する第２、第３の帳票片が連接したベース用紙を折り返し、互いに隣接する連接辺部以外の外縁部を圧着して接着したものであり、所定の３辺の外縁部を切り取ることにより内部の情報が閲覧できるようにされている封書において、プラスチックフィルムに平面コイル状のアンテナパターンを形成し、当該コイルの両端にＩＣチップを装着した非接触ＩＣタグラベルが貼着されているＲＦＩＤタグ付きカードが見開いた封書の中心の帳票片に装着されていて、当該帳票片に設けたカード外形状のミシン目線からＲＦＩＤタグをカード形状に切り取り可能にされている、ことを特徴とするＲＦＩＤタグ付き封書、にある。
【０００８】
上記課題を解決するための本発明の要旨の第３は、ＲＦＩＤタグを切り取り可能に保持した封書用フォームであって、当該封書用フォームが、宛先印字欄を有する第１の帳票片と情報記録部を有する第２、第３の帳票片が折り曲げ予定線を介して連接したベース用紙からなり、第１、第２、第３の帳票片の連接部以外の外縁部には隣接または重なって相互に接する帳票辺の外縁部を接着する接着層が設けられ、フォームに導電性インキで印刷したアンテナパターン面に非接触ＩＣタグラベルが貼着されているＲＦＩＤタグが封書用フォームを折り畳んだ場合に中心となる帳票片に装着されていて、かつＲＦＩＤタグの周囲にはカード外形状のミシン目線が設けられ、封書にされた際に当該ＲＦＩＤタグをカード形状に切り取り可能にされている、ことを特徴とするＲＦＩＤタグ付き封書用フォーム、にある。
【０００９】
上記課題を解決するための本発明の要旨の第４は、ＲＦＩＤタグを切り取り可能に保持した封書用フォームであって、当該封書用フォームが、宛先印字欄を有する第１の帳票片と情報記録部を有する第２、第３の帳票片が折り曲げ予定線を介して連接したベース用紙からなり、第１、第２、第３の帳票片の連接部以外の外縁部には隣接または重なって相互に接する帳票辺の外縁部を接着する接着層が設けられ、プラスチックフィルムに平面コイル状のアンテナパターンを形成し、当該コイルの両端にＩＣチップを装着した非接触ＩＣタグラベルが貼着されているＲＦＩＤタグが封書用フォームを折り畳んだ場合に中心となる帳票片に装着されていて、かつＲＦＩＤタグの周囲にはカード外形状のミシン目線が設けられ、封書にされた際に当該ＲＦＩＤタグをカード形状に切り取り可能にされている、ことを特徴とするＲＦＩＤタグ付き封書用フォーム、にある。
【００１０】
【発明の実施の形態】
以下、本発明のＲＦＩＤタグ付き封書、およびＲＦＩＤタグ付き封書用フォームについて図面を参照して説明する。
図１は、本発明のＲＦＩＤタグ付き封書を示す表面図、図２は、ＲＦＩＤタグ付き封書の外縁部を切り取って冊子状に見開いた状態を示している。
図１のように、ＲＦＩＤタグ付き封書１の表面側には、受取人住所氏名等の宛先印字欄１７を有する。さらに、ＲＦＩＤタグ付き封書１には、封書の三方を切り開くミシン目線１１ａ，１１ｂ，１１ｃが形成されていて、当該部分を切り取ることにより内部の隠蔽情報を読み取ることができ。
【００１１】
図２のように、本発明のＲＦＩＤタグ付き封書１は、封書用フォームをＺ字状等に三つ折りし、第１，第２，第３の帳票片１１，１２，１３の外縁部を圧着して形成したものであるため、三葉からなる冊子状の形態をしている。ＲＦＩＤタグ付き封書１は、封書化する前に親展性のある情報を出力して印字することができ、封書を受け取った宛先人が外縁部を切り開いて、図２のように当該情報を閲覧することができる。
このような帳票への印字は、感熱転写印字やインクジェット印刷等のＮＩＰ（ノンインパクトプリンタ）で印字できることは良く知られている。
冊子状の紙葉の折り畳んだ際に中心となる帳票片には、ＲＦＩＤタグ付きカード２が、ミシン目線２５から切り取り可能に装着されている。ＲＦＩＤタグ付きカード２は、通常は帳票片に印刷したアンテナパターン２１，２２に非接触ＩＣタグラベル５を貼着して形成される。アンテナパターン２１，２２の印刷は折り畳み圧着シール前の封書用フォームに対して行う。
【００１２】
図３は、ＲＦＩＤタグ付き封書用フォームの表面展開図であり、図４は、同じく裏面展開図であるが、図３と図４は天地合わせの状態で図示している。
図３は、Ｚ字状折りする封書用フォームであって、当該ＲＦＩＤタグ付き封書用フォームは、実質的に同一サイズの第１の帳票片１１と第２の帳票片１２および第３の帳票片１３が、用紙の幅方向に連接して単位のベース用紙４を構成している。
通常、封書用フォームは、このようなベース用紙４が、図３中、上下方向（２点鎖線部）に多数枚が連続した状態になっており、当該連続体が巻き取り状となるか、または折り線１ｃ，１ｄを介してアコーディオン状に折り畳まれた状態になっている。連続紙の場合、折り線１ｃ，１ｄはミシン目線にされる。
【００１３】
第１、第２、第３の帳票片１１，１２，１３は連接しており、第１と第２の帳票片１１，１２間および第２と第３の帳票片１２，１３間には、それぞれ折り畳むことができるミシン目線１ａ，１ｂ（一点鎖線）が形成されている。
第１の帳票片の左側と第３の帳票片の右側には、それぞれ一定のピッチを有するスプロケット孔が連接して形成さているが、図３、図４において図示は省略されている。スプロケット孔は、帳票片への印字時に装置と係合するためのものであるが、折り畳みの際に切除される。
【００１４】
第１の帳票片１１の表面側には宛先印字欄１７が設けられており、同様に、第２、第３の帳票片の表面側には、それぞれ情報表示部が設けられている。
第１、第２、第３の帳票片１１，１２，１３には、それぞれミシン目線１１ａ、１２ａ，１３ａ、および１１ｂ、１２ｂ，１３ｂが略平行に、かつミシン目線１ａ，１ｂと略直交するように形成されている。
さらに、第１の帳票片にはミシン目線１１ｃが、第２の帳票片にはミシン目線１２ｃが、ミシン目線１ａをはさんでその近傍に略平行に、かつ、ミシン目線１１ａ，１２ａおよび１１ｂ，１２ｂに略直交するように形成されている。
また、第３の帳票片にはミシン目線１３ｃがミシン目線１ｂに対して、ミシン目線１２ｃと対称の位置に設けられている。
【００１５】
さらにまた、第２と第３の帳票片１２，１３には、接着層７（７ａ〜７ｆ）が形成されている（図中、接着層７の領域にはストライプ状のハッチングを付している。）。接着層７は、第２と第３の帳票片のミシン目線１２ａ，１３ａ、１３ｃ，１３ｂ，１２ｂ，１２ｃの外側近傍を囲むように帯状に形成されている。
ベース用紙４は、ミシン目線１ａを山折りし、ミシン目線１ｂを谷折りして圧着するので、接着層７ａと７ｂ、７ｃと７ｆ、７ｄと７ｅは、それぞれ接着ペアとなり対面して接着し接着部を形成することになる。
また、ミシン目線１１ａ，１２ａ，１３ａと、ミシン目線１１ｂ，１２ｂ，１３ｂ、およびミシン目線１１ｃ，１２ｃ，１３ｃとは、それぞれ折り重なって一本のミシン目線となり、上記接着部を伴った封書の外縁部の切り取り線（図１において、１１ａ，１１ｂ，１１ｃ）を構成することになる。
【００１６】
ＲＦＩＤタグ用のアンテナパターン２１，２２は、第２の帳票片１２に導電性インキで印刷されている。ＲＦＩＤタグ付きカードは、第３の帳票片に装着することもできるが、ベース用紙をＺ字状に折り畳む場合は、封書の外面に切り取り用ミシン目線２５が現われることになるので、第三者が悪意で剥ぎ取ることを防止するうえから第２の帳票片に形成することが好ましい。
アンテナパターン２１，２２に、非接触ＩＣタグラベル５を貼着し、ＲＦＩＤタグの周囲にはカード形状のミシン目線２５を設ける。
【００１７】
図４の裏面展開図のように、両面印字する場合は第１、第２の帳票片１１，１２の裏面も情報表示部とすることができる。第３の帳票片１３の裏面は封書の外面となる部分であって、通常は情報表示には使用しない。ミシン目線１１ａ，１２ａ，１３ａおよびミシン目線１１ｂ，１２ｂ，１３ｂは、そのまま裏面に現われている。ミシン目線１１ｃ，１２ｃ，１３ｃおよび折り畳み用のミシン目線１ａ，１ｂも同様である。第１と第２の帳票片１１，１２の裏面には、接着層８（８ａ〜８ｆ）が形成されていて、表面の接着層と同様の役割をしている。
【００１８】
本発明のＲＦＩＤタグ付き封書用フォームは、図２、図３のように、Ｚ字状に折り畳む以外に巻き折り状に折り畳んで使用することもできる。
図５は、ＲＦＩＤタグ付き封書用フォームを巻き折り状にして使用する場合の表面展開図である。この場合、ベース用紙４の図の右端の帳票片（第３の帳票片１３）が中心の紙葉となるように巻き折りするので、ＲＦＩＤタグ付きカードは第３の帳票片１３に形成されている。
ミシン目線や接着層もＺ字状折りの場合と同様に形成するが、接着ペアとならない第１の帳票片１１の接着層（８ａ〜８ｄ）は、第２、第３の帳票片１２，１３の接着層（７ａ〜７ｆ）と位置が重ならないようにずらして形成する。
宛先印字欄１７は、図５の第１の帳票片１１において、その裏面側となるので、アンテナパターン２１，２２と同時印刷する場合は、アンテナパターン２１，２２も第３の帳票片１３の裏面に印刷してもよい。
【００１９】
図３、図５の場合、アンテナパターン２１，２２に非接触ＩＣタグラベル５が直接接触するように貼着されている例が示されているが、薄層のフォーム用紙を介して非接触ＩＣタグラベル５を貼着しても静電結合的に接続するのでＲＦＩＤタグの機能を果たすことが知られている。
したがって、本発明でＩＣタグラベルを貼着するとは、非接触ＩＣタグラベル５のアンテナと封書のアンテナパターン２１，２２間が直接接触するように貼着する場合と、フォーム用紙の層を介してアンテナパターン間を接近させて、反対面に貼着する場合の双方を含むことになる。
【００２０】
アンテナパターンの印刷やＩＣタグラベル５の貼着により当該帳票片の厚みが増加することになるので連続フォーム用紙とする場合は、第２の帳票片１２に設けるのが加工適性上は好ましいと考えられる。フォームを折り畳んで積み重ねる場合でも巻き取り状にする場合でも、左右いずれかの厚みが増加する場合は不安定で、長い連続状にすることが困難だからである。
【００２１】
アンテナパターン２１，２２は切り取り用ミシン目線２５の外形よりもやや大きめな形状に印刷されている。アンテナパターンに位置合わせして正確にミシン目を形成する困難性を回避できることと、アンテナサイズを大きくして感度を高める要請からである。ただし、アンテナ形状は、図示の例に限定されるものではなく各種の形状を採用できる。
【００２２】
カードの外形形状に形成されたミシン目線の内側部分は、ミシン目線２５から切り取ってカードとして使用する際に有用な情報や装飾的印刷を施すことができる。有用な情報とは、例えば、カードが展示会の招待券であれば、展示会の開催期間や開催場所、会場案内やカードの使用方法等の表示である。
ＲＦＩＤタグ付きカードは、一般にカードの規格形状である５３．９８×８５．６０ｍｍの矩形状にされるが、この形状に限定されるものではない。
本発明のＲＦＩＤタグ付き封書１では、このように封書のフォーム用紙と連接した一体の基材をＲＦＩＤタグ付きカードに使用し、封書用紙と異なる材質の基材を積層等しないので、材料コストの節減および郵送料金の低減を図ることができる。
【００２３】
図６は、ＲＦＩＤタグ付きカードの分解断面図である。縦方向（カードの厚み方向）の縮尺は拡大して図示している。
図６の場合、アンテナパターン２１，２２は第２の帳票片１２に印刷されており、当該アンテナ面に非接触ＩＣタグラベル５のアンテナパターン５１，５２が接触するように貼着されている。
【００２４】
図６図示の非接触ＩＣタグラベル５は、シリコン基板にＩＣ（集積回路）とメモリを設けたＩＣチップ５５を、ＲＦＩＤタグ付きカード２のアンテナパターン２１，２２に装着可能にタックシール化した状態のものを意味するが、当該非接触ＩＣタグラベル５自体にもＩＣチップ５５に接続した小型のアンテナパターン５１，５２を有するのが通常である。非接触ＩＣタグラベル５の小型アンテナパターンも導電性インキにより印刷されている。
【００２５】
この種の非接触ＩＣタグラベルには、製品化されたものが市販されている。具体的には、モトローラ社が製造する「ＢｉＳｔａｔｉｘ」用のインターポーザー形態のものを使用することができる。
なお、非接触ＩＣタグラベル５は、図６図示のように、アンテナパターンに貼着するもののほか、後述する図７のように、ラベル自体に平面コイル状のアンテナが形成されているものもあり、このものを第２の帳票片または第３の帳票片に貼着する場合であってもよい。
【００２６】
図６には図示してないが、ＩＣチップ５５には、チップから突出しているか、あるいは平面状の２点のバンプが形成されていて、双方のアンテナパターン５１，５２に導通するように接続されている。
当該アンテナパターン５１，５２を封書用フォームのアンテナパターン２１，２２に位置合わせして貼着し導通をとるためには、アンテナパターン間に介在することとなる接着剤５４（図中、×印で表示部分）が導電性の材料であることが必要とされ、とくに接着剤５４は、アンテナパターン２１，２２，５１，５２面に直交する方向にのみ導通する異方導電性接着剤を使用することが好ましい。
ＲＦＩＤタグ付きカード２は、ミシン目線２５から切り取り、矢印Ａ方向に押し出して各種の用途に使用できる。
【００２７】
アンテナパターン２１，２２の印刷は、導電性インキにより行う。
アンテナパターン印刷と前後してフォームに必要な宛名や親展情報の印刷を行い、さらに非接触ＩＣタグラベル５を貼着する。その後、カット紙状態にするか折り畳み状態で、メールシーラー等と呼ばれる折り畳み−圧着装置を通過させることになる。
【００２８】
図７は、非接触ＩＣタグラベルの他の実施形態を示す図である。
この非接触ＩＣタグラベル５では、平面コイル状のアンテナパターン５６がプラスチックフィルム等のラベル基材５７面に形成されていて、当該アンテナの両接続端部５６ｅにＩＣチップ５５が装着されている。ラベルのいずれかの面に粘着剤を塗工すれば、タックラベルとして使用できる。
このような非接触ＩＣタグラベル５を事前に準備し、フォームに貼着して使用することにより、封書を作製することもできる。この場合には、フォームにアンテナパターンを印刷する工程を省略することができる。
【００２９】
＜材質に関する実施形態＞
上記において、（１）封書用紙の紙基材としては、例えば、上質紙、コート紙、キャストコート紙、カード用紙、合成紙等を使用できる。
ＮＩＰ印字を前提とする場合には、「ＮＩＰ用上質紙」という、ＮＩＰで印字したときの熱の影響を考慮した７０〜９０Ｋｇ／四六程度の用紙が一般的に用いられている。帳票片の単票でカード基材とするので、厚めの用紙を使用することが好ましい。
【００３０】
（２）アンテナパターンを印刷する導電性インキには、カーボン顔料を含む黒色インキ、アルミ粉や銀粉をペースト状とし、さらにビヒクルに溶解した導電性インキ、あるいはこれらの混合体を使用することができる。酸化錫粉末等を使用した透明導電性インキの使用も可能である。
【００３１】
このようなＲＦＩＤタグ付き封書の製造は、次のように行う。封書用フォームに対して、先ず、
（１）封書用フォームの所定位置に導電性インキにより、アンテナパターン２１，２２の印刷を行う。印刷はゴム凸版やグラビア印刷であってよい。カードの使用説明等の定型の印刷も同時に行うことができる。
次に、（２）封書用フォームに住所、氏名等の宛先、ＲＦＩＤタグ付きカード２の表面等の所定の印字や親展情報欄の印字を行う。
折り線やミシン目線を設ける。カード外形状のミシン目線２５の形成も同様に行う。
【００３２】
（３）接着層部に接着剤を塗工する。これには感圧性やホットメルトタイプの接着剤を使用する。
（４）アンテナパターン２１，２２に対して非接触ＩＣタグラベル５を位置合わせして貼着する。
（５）非接触ＩＣタグラベル５のＩＣチップ５５への所定データの書き込みを行う。この書き込みは、圧着して封書化した後でもよい。
次に、（６）封書用フォームを折り畳み封書作成装置（メールシーラー）にとおして封書に形成する。この場合、装置により、フォームをカット紙状態として供給し加工する場合と、連続紙で供給する場合とがある。
封書作成装置は、圧着時にＩＣチップ５５を破損しないように当該部の加圧を逃げるようにされていることが必要となる。
【００３３】
なお、非接触ＩＣタグラベルとして、図７図示の形態のＩＣタグラベルを使用する場合は、アンテナパターンの印刷を行わず、封書用フォーム２の帳票片に対して、図７の非接触ＩＣタグラベルを直接貼着して使用することになる。
粘着剤が塗工された、図７図示のような非接触ＩＣタグラベルが剥離紙に連続的に形成された製品が市販されており、ラベラーを用いて自動貼着することができる。
この場合、非接触ＩＣタグラベル５の大きさをカードサイズ大にすれば、帳票片の強度を補強することができる。
【００３４】
【発明の効果】
上述のように、本発明のＲＦＩＤタグ付き封書や封書用フォームは、以下のような顕著な効果を有する。
（１）本発明のＲＦＩＤタグ付き封書は豊富な情報量を持つ特徴があり、このような封書を従来例と同様な装置、工程でインラインで製造することができる。
（２）宛名台紙に、ＲＦＩＤタグ付きカードを組み込んで、封筒に挿入する場合よりも情報量を多量にすることができる。
（３）ＲＦＩＤタグ付きカードがフォーム用紙と同一の基材から形成されているので、コストの低減を図ることができる。
【図面の簡単な説明】
【図１】  本発明のＲＦＩＤタグ付き封書を示す表面図である。
【図２】  ＲＦＩＤタグ付き封書の外縁部を切り取って冊子状に見開いた状態を示している。
【図３】  ＲＦＩＤタグ付き封書用フォームの表面展開図である。
【図４】  ＲＦＩＤタグ付き封書用フォームの裏面展開図である。
【図５】  ＲＦＩＤタグ付き封書用フォームを巻き折り状にして使用する場合の表面展開図である。
【図６】  ＲＦＩＤタグ付きカードの分解断面図である。
【図７】  非接触ＩＣタグラベルの他の実施形態を示す図である。
【符号の説明】
１    ＲＦＩＤタグ付き封書
２    ＲＦＩＤタグ付きカード
３    ＲＦＩＤタグ付き封書用フォーム
４    ベース用紙
５    非接触ＩＣタグラベル
７，７ａ，７ｂ，７ｃ，７ｄ，７ｅ，７ｆ    接着層
８，８ａ，８ｂ，８ｃ，８ｄ，８ｅ，８ｆ    接着層
１１    第１の帳票片
１２    第２の帳票片
１３    第３の帳票片
１７    宛先印字欄
２１，２２    アンテナパターン
２５    ミシン目線
５１，５２    アンテナパターン
５３    ラベル基材
５５    ＩＣチップ
【図１】
0003923782.tif 000002
【図２】
0003923782.tif 000003
【図３】
0003923782.tif 000004
【図４】
0003923782.tif 000005
【図５】
0003923782.tif 000006
【図６】
0003923782.tif 000007
【図７】
0003923782.tif 000008